(57)【要約】【課題】コンピュータを利用して、新商品の商品情報を貼り付けた提案ボードを作成することが、この新商品のリリース時には可能になっていることを容易に行えるようにすること。【解決手段】商品情報を保管する商品データベースを有するＷＥＢサーバが接続しているネットワークに接続されているコンピュータに、検索条件を入力させる機能と、前記商品データベースから前記検索条件に合致する商品の商品情報を獲得する機能と、獲得された商品情報を貼り込んだ提案ボードを作成させる機能とを実現させることを特徴とする提案ボードソフトウェア。【選択図】なし【特許請求の範囲】
【請求項１】
商品情報を保管する商品データベースを有するＷＥＢサーバが接続しているネットワークに接続されているコンピュータに、
検索条件を入力させる機能と、
前記商品データベースから前記検索条件に合致する商品の商品情報を獲得する機能と、
獲得された商品情報を貼り込んだ提案ボードを作成させる機能とを実現させることを特徴とする提案ボードソフトウェア。
【請求項２】
商品情報を保管する商品データベースを有するＷＥＢサーバであって、
請求項１記載の提案ボードソフトウェアにより前記各機能が実現されているコンピュータから、前記検索条件に合致する商品の検索要求を受ける機能と、
前記商品データベースから前記検索条件に合致する商品情報を検索して読み出す機能と、
読み出した商品情報を前記コンピュータに送る機能とを有することを特徴とするＷＥＢサーバ。
【発明の詳細な説明】
【０００１】
【発明の属する技術分野】
【０００２】
【従来の技術】
従来から、顧客に購入して貰う商品を検討してもらうために、顧客に提案する商品について画像及びスペック情報等の文字情報を含む商品情報が貼り付けられた、提案ボードと呼ばれる商品提案書を作ることが可能な、パソコン等のコンピュータを利用した提案ボードシステムが知られている。
【０００３】
従来の提案ボードシステムでは、提案ボート内に貼り付ける商品情報は、提案ボードシステムの備えるＣＤ−ＲＯＭドライブからアクセスされるＣＤ−ＲＯＭや提案ボードシステムの備えるＨＤＤ（ハードディスク）内に構築された商品データベースから獲得するのが一般的である（特許文献１〜３参照）。
【０００４】
従来の提案ボードシステムの中には、Ｃｌｉｅｎｔ（クライアント）−Ｓｅｒｖｅｒ（サーバ）構造の商品データベースを有するものも存在するが、閉じたＬＡＮ（ローカル・エリア・ネットワーク）内での商品情報共有に留まっている。
【０００５】
【特許文献１】
特開平０７−２９６０４８号公報
【特許文献２】
特開平０７−２９６０４９号公報
【特許文献３】
特開平０８−１１５３７０号公報
【０００６】
【発明が解決しようとする課題】
これらの提案ボードシステムは、各商品データベースに対する商品情報更新時の作業負荷が大きく、メンテナンス性に欠くものである。その結果、各商品データベースにおける商品情報の更新完了時と、新商品のリリース時との間のタイムラグが長く、このタイムラグの長さは、提案ボードシステムにとって致命的な問題と言えるものである。
【０００７】
本発明は係る従来技術の問題に鑑みてなされたもので、コンピュータを利用して、新商品の商品情報を貼り付けた提案ボードを作成することが、この新商品のリリース時には可能になっていることを容易に行えるようにすることを課題とする。
【０００８】
【課題を解決するための手段】
本発明において上記の課題を達成するために、まず請求項１の発明では、商品情報を保管する商品データベースを有するＷＥＢサーバが接続しているネットワークに接続されているコンピュータに、
検索条件を入力させる機能と、
前記商品データベースから前記検索条件に合致する商品の商品情報を獲得する機能と、
獲得された商品情報を貼り込んだ提案ボードを作成させる機能とを実現させることを特徴とする提案ボードソフトウェアとしたものである。
【０００９】
また請求項２の発明では、商品情報を保管する商品データベースを有するＷＥＢサーバであって、
請求項１記載の提案ボードソフトウェアにより前記各機能が実現されているコンピュータから、前記検索条件に合致する商品の検索要求を受ける機能と、
前記商品データベースから前記検索条件に合致する商品情報を検索して読み出す機能と、
読み出した商品情報を前記コンピュータに送る機能とを有することを特徴とするＷＥＢサーバとしたものである。
【００１０】
【発明の実施の形態】
以下に、本発明の一実施形態を説明する。
【００１１】
１．構成
本実施形態では、図１に示すような、提案ボードシステムと、ＷＥＢサーバとが、ネットワークに接続されているシステムで、提案ボードを作成する。提案ボードシステムは、ネットワークに、複数接続されていても良い。
【００１２】
ネットワークは、提案ボードシステムと、ＷＥＢサーバとの間でＨＴＴＰプロトコルによりデータ通信が可能であれば、その種類や形態に特に制限は無く、例えば、インターネットや専用回線ような広域ネットワーク（ＷＡＮ）でも良く、また、途中で光通信や無線通信が行なわれるものであっても良い。
【００１３】
ＷＥＢサーバは、商品データベースを有し、商品データベース検索プログラムと、ＨＴＴＰデーモンを実行するコンピュータシステムである。
【００１４】
商品データベースは、商品について画像及びスペック情報等の文字情報を含む商品情報を保管する。
【００１５】
商品データベース検索プログラムは、提案ボードシステムから、提案ボードシステムに入力された検索条件に合致する商品の商品検索要求を受けると、既にユーザ認証を行ってユーザ認証に成功したか否かを確認し、未だユーザ認証に成功していなければユーザ認証を行う。ユーザ認証に成功した場合にのみ、商品データベース検索プログラムは、商品データベースから、検索条件に合致する商品を検索して、検索条件に合致する商品の商品情報を読み出す。そして、商品データベース検索プログラムは、読み出した商品情報に含まれる商品のスペック情報等の文字情報を、提案ボードシステムに返信する。
【００１６】
ＨＴＴＰデーモンは、提案ボードシステムから商品画像ダウンロード要求を受けると、商品データベース検索プログラムが商品データベースから読み出した商品情報に含まれる商品画像を、提案ボードシステムにダウンロードする。
【００１７】
提案ボードシステムは、提案ボードソフトウェアをインストールしたパソコン等のコンピュータであって、この提案ボードソフトウェアがインストールされることにより、以下（ａ）〜（ｆ）の機能を有する。
（ａ）商品の検索条件をユーザに入力させる機能。
（ｂ）商品データベース検索プログラムに、検索条件に合致する商品の検索要求を行う機能。
（ｃ）商品データベース検索プログラムから商品のスペック情報等の文字情報を受信する機能。
（ｄ）ＨＴＴＰデーモンに、商品画像ダウンロード要求を行う機能。
（ｅ）ＨＴＴＰデーモンから、商品画像のダウンロードを受ける機能。
（ｆ）商品データベース検索プログラムから受信した商品のスペック情報等の文字情報及びＨＴＴＰデーモンからダウンロードを受けた商品画像からなる商品情報を、提案ボードに貼り付けることにより、提案ボードをユーザ作成させる機能。
【００１８】
２．処理
提案ボードシステムで提案ボードを作成するに要する商品情報を、ＷＥＢサーバの有する商品データベースから獲得するためになされる処理手順の流れを、図２のフローチャートに従って説明する。
【００１９】
（１）商品検索要求（ユーザ認証を含む）
提案ボードシステムから、提案ボードシステムに入力された検索条件に合致する商品の商品検索要求が、商品データベース検索プログラムになされると、商品データベース検索プログラムは、既にユーザ認証を行ってユーザ認証に成功したか否かを確認し、未だユーザ認証に成功していなければユーザ認証を行う。
【００２０】
（２）商品検索
ユーザ認証に成功した場合にのみ、商品データベース検索プログラムは、商品データベースから、検索条件に合致する商品を検索して、検索条件に合致する商品の商品情報を読み出す。
【００２１】
（３）商品のスペック情報等の文字情報返信
商品データベース検索プログラムは、読み出した商品情報に含まれる商品のスペック情報等の文字情報を、提案ボードシステムに返信する。
【００２２】
（４）商品画像ダウンロード要求
提案ボードシステムからＨＴＴＰデーモンに商品画像ダウンロード要求を行う。
【００２３】
（５）商品画像ダウンロード
ＨＴＴＰデーモンは、商品データベース検索プログラムが商品データベースから読み出した商品情報に含まれる商品画像を、提案ボードシステムにダウンロードする。
【００２４】
【発明の効果】
請求項１の発明は、ＷＥＢサーバの接続しているネットワークに接続されているならば、何れのコンピュータでも、ＷＥＢサーバの商品データベースに保管されている商品情報を利用して、提案ボードを作成することができるという効果がある。従って、ＷＥＢサーバの商品データベースに保管されている商品情報を、常に最新の状態にメンテナンスするだけで、新商品の商品情報を貼り付けた提案ボードを作成することが、この新商品のリリース時には可能になっていることを容易に行えるという効果がある。
【００２５】
請求項２の発明は、請求項１の発明である提案ボードソフトウェアをインストールしているならば、何れのコンピュータに対しても、提案ボード作成に要する商品情報を提供できるという効果がある。従って、請求項２の発明であるＷＥＢサーバの商品データベースに保管されている商品情報を、常に最新の状態にメンテナンスするだけで、新商品の商品情報を貼り付けた提案ボードを作成することが、この新商品のリリース時には可能になっていることを容易に行えるという効果がある。
【００２６】
以上、本発明は、コンピュータを利用して、新商品の商品情報を貼り付けた提案ボードを作成することが、この新商品のリリース時には可能になっていることを容易に行えるという効果がある。
【図面の簡単な説明】
【図１】本実施形態に係るシステムの構成を説明する図。
【図２】本実施形態に係るシステムによる処理手順の流れを説明するフローチャート。
【図１】
2005018414.tif 000002
【図２】
2005018414.tif 000003